(57)【要約】【課題】ベッド設置面に丸みや凸凹があっても、ほぼ水平になるように構造の簡易ベッド装置を提供すること。【解決手段】並行して配列された複数の板１２と、各板１２を互いに連結する複数の蝶番１４とを備え、各蝶番１４をそれぞれ一方向に全開したときに、各板１２が、全体としてほぼ平面状に配列され、簡易ベッドとして使用することができ、各板１２の表面にクッションシート２０を配置することで、各板１２の間に身体が挟まれることもなく、より寝心地が良くなる。【選択図】図１
2007289279.tif 000002
【特許請求の範囲】
【請求項１】
並行して配列された複数の板と、前記各板を互いに連結する複数の蝶番とを備え、前記各板は、前記各蝶番をそれぞれ一方向に全開したときに全体としてほぼ平面状に配列され、前記各蝶番をそれぞれ閉じたときに折りたたみ可能に構成されてなる簡易ベッド装置。
【請求項２】
並行して配列された複数の板と、前記各板を互いに連結する帯状の連結体を備え、前記各板は、前記連結体を支点としてそれぞれ一方向に全開したときに全体としてほぼ平面状に配列され、前記連結体を支点としてそれぞれ閉じたときに折りたたみ可能に構成されてなる簡易ベッド装置。
【請求項３】
請求項１に記載の簡易ベッド装置において、前記各蝶番は、各蝶番をそれぞれ一方向に全開したときに、ほぼ１８０度以上開くことを制限するストッパを備えてなることを特徴とする簡易ベッド装置。
【請求項４】
請求項１、２または３のうちいずれか１項に記載の簡易ベッド装置において、前記各板は、一方向に全開したときには、相隣接する板と互いに接触する位置関係を保って配置されてなることを特徴とする簡易ベッド装置。
【請求項５】
請求項１、２、３または４のうちいずれか１項に記載の簡易ベッド装置において、前記複数の板のうちベッド長手方向両端側に配置された板には吊り紐が連結されてなることを特徴とする簡易ベッド装置。
【発明の詳細な説明】
【技術分野】
【０００１】
本発明は、睡眠を取り易くするため、ベッド面を平面状にするための機能を備えた簡易ベッド装置に関するものである。
【背景技術】
【０００２】
簡易ベッドとしてハンモックが知られているが、ハンモックは、一般に、吊り下げている吊り紐のテンションにより、底面の丸みが大きく変化して歪むので、利用者にはあまりよくない姿勢で使用することが余儀なくされていた。また、寝相によっては反転してハンモックから落下することもあるので、落下しないように、無理な姿勢になると、安心して休むことができないこともあった。
【０００３】
一方、ドライブ等で仮眠する際に、車両の座席を簡易ベッドとして用いるために、前席を後側に倒してフルラットにすることがあるが、車両の座席の場合、シート面が凸凹で、ゆっくり仮眠できないことがある。
【０００４】
また、キャンプ等で睡眠をとるときにはテントを張るが、地面が凸凹であるときには地面を水平にしないとベッドが作れないことがあり、また水分が有るときにも同様にベッドが作れず、テントが設営できないことがある。
【発明の開示】
【発明が解決しようとする課題】
【０００５】
ハンモックを簡易ベッドとして利用する場合、ハンモックの底の部分に座布団等を配置して底上げすることで、寝心地をある程度良くすることはできるが、落下については、乗る姿勢により対処するしかない。
【０００６】
自動車での仮眠については、座席に座布団やクッションなどを配置することで、ある程度、水平の状態を作ることはできるが、必ずしも寝心地のよいものではない。
【０００７】
キャンプでは、水分の少ない個所、できるだけ水平個所あるいは水平にできる個所を探してテントを張り、その個所で睡眠を取る必要があり、自分の好きな個所へテントを設置することができない等の課題があった。
【０００８】
そこで、本願出願人は、ベッド設置面に丸みや凸凹があっても、ほぼ水平になるように構造の簡易ベッド装置を提供することを目的とするものである。
【課題を解決するための手段】
【０００９】
前記目的を達成するために、本発明は、並行して配列された複数の板と、前記各板を互いに連結する複数の蝶番とを備え、前記各板は、前記各蝶番をそれぞれ一方向に全開したときに全体としてほぼ平面状に配列され、前記各蝶番をそれぞれ閉じたときに折りたたみ可能に構成されてなる簡易ベッド装置を構成したものである。
【００１０】
前記した手段によれば、各蝶番それぞれ一方向に全開したときに、各板が、全体としてほぼ平面状に配列されるので、ベッド設置面に丸みや凸凹があっても、ほぼ水平なベッドを構成することができ、利用者の寝心地の向上に寄与することができる。
【００１１】
また、本発明は、並行して配列された複数の板と、前記各板を互いに連結する帯状の連結体を備え、前記各板は、前記連結体を支点としてそれぞれ一方向に全開したときに全体としてほぼ平面状に配列され、前記連結体を支点としてそれぞれ閉じたときに折りたたみ可能に構成されてなる簡易ベッド装置を構成したものである。
【００１２】
前記した手段によれば、各板をそれぞれ連結体を支点として一方向に全開したときに、各板が、全体としてほぼ平面状に配列されるので、ベッド設置面に丸みや凸凹があっても、ほぼ水平なベッドを構成することができ、利用者の寝心地の向上に寄与することができる。
【発明の効果】
【００１３】
本発明によれば、ベッド設置面に丸みや凸凹があっても、ほぼ水平なベッドを構成することができ、利用者の寝心地の向上に寄与することができる。
【発明を実施するための最良の形態】
【００１４】
以下、本発明の実施の形態を図面に基づいて説明する。図１は、本発明の第１実施例を示す簡易ベッド装置の平面図、図２は、図１に示す簡易ベッド装置の側面図、図３は、簡易ベッド装置を折りたたんだ状態を示す側面図、図４は、簡易ベッド装置の要部側面拡大図である。
【００１５】
これらの図において、簡易ベッド装置１０は、並行して配列された複数の板１２と、各板１２を互いに連結する複数の蝶番１４とを備えており、各１２は、平板状の板材として、例えば、木製または強化プラスチック製であって、略長方形形状に形成され、各蝶番１４を介して互いに連結されている。各蝶番１４は、各板１２の裏面側に配置されて、補強板１６を間にして、止めボルト１８によって各板１２の裏面に固定されている。各蝶番１４は、一方向に略１８０度全開することができるようになっている。なお、図２４に示すように、止めボルト(皿ビス)１８の頭の部分が補強板に埋め込まれるしてもよい。
【００１６】
具体的には、各蝶番１４は、例えば、図５乃至図７に示すように、円柱状の軸１４ａ、軸１４ａに固定された雌側蝶番１４ｂ、軸１４ａに開閉自在に固定された雄側蝶番１４ｃを備えており、雄側蝶番１４ｃの一端側には開度ストッパ１４ｄが形成され、雌側蝶番１４ｂと雄側蝶番１４ｃにはそれぞれ止め孔１４ｅが複数個形成されている。雌側蝶番１４ｂと雄側蝶番１４ｃは、各止め孔１４ｅに挿入されたねじなどによって各板１２の裏面側に固定されている。雄側蝶番１４ｃを、軸１４ａを支点として一方向に略全開すると、図６に示すように、開度ストッパ１４ｄが雌側蝶番１４ｂの端部に当接して、雄側蝶番１４ｃの開方向への移動が阻止され、雌側蝶番１４ｂと雄側蝶番１４ｃが軸１４ａを中心に略１８０度開かれた状態になる。逆に、雄側蝶番１４ｃを閉じると、図７に示すように、雌側蝶番１４ｂと雄側蝶番１４ｃが略平行になって配置される。これにより、各板１２を折り畳むことができる。
【００１７】
各蝶番１４をそれぞれ一方向に全開したときには、図２に示すように、各板１２は、全体としてほぼ平面状に配列されるので、簡易ベッドとして使用することができる。
【００１８】
この場合、各板１２は、図８及び図９に示すように、一方向に全開したときには、相隣接する板１２と互いに接触する位置関係を保って配置され、しかも、雄側蝶番１４ｃを、軸１４ａを支点として一方向に略全開したときに、開度ストッパ１４ｄが雌側蝶番１４ｂの端部に当接して、雄側蝶番１４ｃが開方向へ移動するのが阻止されるので、各板１２が１８０度以上開かれることはない。
【００１９】
各蝶番１４が全開したときには、各蝶番１４の引っ張り力が各板１２に作用するとともに、相隣接する板１２と板１２と接触に伴う圧縮力が各板１２に作用するが、各板１２には、補強板１６が固定されているので、各板１２の強度を保つことができる。
【００２０】
各板１２が略平面状に配列されたときに、各板１２の表面（上面）側にクッションシート２０を配置すると、各板１２の間に身体が挟まれることもないので、より寝心地が良くなる。
【００２１】
一方、各蝶番１４をそれぞれ閉じたときには、各板１２を折りたたむことができ、簡易ベッド装置１０を狭い所に収納したり、持ち運びしたりすることが容易となる。なお、蝶番１４の代わりに、ドアヒンジなどを用いることもできる。また、板１２と蝶番１４を一体成型することもできる。
【００２２】
簡易ベッド装置１０を構成するに際しては、使用者の体重を考慮して、蝶番１４の数や各部品の強度を設計することで、剛性を高めることができる。また、使用時の荷重による伸びや圧縮によって撓みが生じることを考慮して、予めある程度凸面状態にすることで、使用時におけるベッドの平面度（水平度）を保持することができる。
【００２３】
本実施例によれば、ベッド設置面に丸みや凸凹があっても、ほぼ水平なベッドを構成することができ、利用者の寝心地の向上に寄与することができる。
【００２４】
次に、本発明の第２実施例を図１０乃至図１５に基づいて説明する。本実施例における簡易ベッド装置１１は、蝶番１４の代わりに、連結体として帯状のベルトを用いて各板１２を連結するようにしたものである。
【００２５】
すなわち、各板１２の裏面側には、２本のベルト２２がベッドの長さ方向に沿って配置されているとともに、２個のＵ字状（コ字状）ベルトガイド２４が配置されている。各ベルト２２は、周囲が、一対のベルトガイド２４に支持され、ベッド長手方向両端側が、ベッド長手方向両端側に配置された板１２の側面にベルト止めビス２６で固定されている。各ベルトガイド２４は、その先端側が、板１２の上面側に形成された凹部１２ａ内に挿入され、ボルト２４ａによって板１２の裏面に固定されており、各板１２には、各板１２の平面を維持するためのピン２８が埋め込まれている。
【００２６】
各板１２は各ベルト２２に支持された状態で開閉自在になっており、各板１２を一方向に略１８０度全開すると、相隣接する板１２の側面側が互いに接触することで、各板１２が、全体としてほぼ平面状に配列され、簡易ベッドとして使用することができる。この場合、各板１２の表面（上面）側にクッションシート２０を配置すると、各板１２の間に身体が挟まれることもないので、より寝心地が良くなる。
【００２７】
一方、各板１２をそれぞれ閉じたときには、各板１２を折りたたむことができ、簡易ベッド装置１１を狭い所に収納したり、持ち運びしたりすることが容易となる。なお、ベルト２２の代わりに、紐などを用いることもできる。
【００２８】
本実施例によれば、ベッド設置面に丸みや凸凹があっても、ほぼ水平なベッドを構成することができ、利用者の寝心地の向上に寄与することができる。
【００２９】
次に、本発明を組立式ベッドに適用したときの実施例を図１６と図１７に従って説明する。
【００３０】
組立式ベッドは、枠体として、組立式下部フレーム３０、４本の支柱３２を備えており、下部フレーム３０は、４つの要素３０ａ〜３０ｄを組み立てることによって略四角形の枠体を構成するようになっている。下部フレーム３０のうち要素３０ａ、３０ｂには、それぞれ２本の支柱３２が傾斜した状態で固定されるようになっている。各支柱３２の上部側は、ベッド長手方向両端に配置された一対の固定用板３４の孔に挿入されており、各固定用板３４はそれぞれ板１２に連結されている。固定用板３４の孔に挿入された固定用板３４は、下部側が、各支柱上部に形成された円環状のストッパ３６によって支持されおり、上部側が、円環状の外れ防止部材３８によって支持され、抜けが防止できるようになっている。
【００３１】
本実施例によれば、枠体に取り付けても、ほぼ水平なベッドを構成することができ、利用者の寝心地の向上に寄与することができる。
【００３２】
次に、本発明を幼児用簡易ベッドに適用したときの実施例を図１８と図１９に従って説明する。
【００３３】
幼児用簡易ベッドは、ネット４０と、２本の吊り紐４２を備えており、各吊り紐４２は、一端側が２本に分かれてネット４０の長手方向コーナ部両端に連結されている。ネット４０の上部側には簡易ベッド装置１０が配置されている。ここで、各蝶番１４をそれぞれ一方向に全開して、各板１２を、全体としてほぼ平面状に配列することで、簡易ベッドとして使用することができる。この場合、各板１２の表面（上面）側にクッションシート２０を配置すると、各板１２の間に身体が挟まれることもないので、より寝心地が良くなる。
【００３４】
本実施例によれば、簡易ベッド装置１０をネット４０上に配置しても、ほぼ水平なベッドを構成することができ、利用者の寝心地の向上に寄与することができる。
【００３５】
次に、本発明を自動車に適用したときの実施例を図２０に従って説明する。
【００３６】
簡易ベッド装置１０を自動車の座席に適用するに際しては、前席４４、４６をフルフラットにして、前席４４、４６、後席４８の上に簡易ベッド装置１０を配置する。この場合、後席４８、５０のうち後席４０と簡易ベッド装置１０との間にスペーサ５２を挿入することで、安定をより保つことができる。利用者５４は簡易ベッド装置１０上に寝るときに、左向きであっても、右向きあっても構わない。
【００３７】
本実施例によれば、前席４４、４６、後席４８に丸みや凸凹があっても、ほぼ水平なベッドを構成することができ、利用者の寝心地の向上に寄与することができる。
次に、本発明を自動車に適用したときの他の実施例を図２１と図２２に従って説明する。
【００３８】
簡易ベッド装置１１を自動車に適用するに際しては、２つの固定用板３４のうち一方の固定用板３４に連結された下部フレーム３０の要素３０ｂを車両に取り付け、他方の固定用板３４の両側にアイボルト５６を固定し、各アイボルト５６に吊り紐５８を連結し、吊り紐５８を車両に取り付ける構成を採用することができる。この場合も、各板１２を一方向に略１８０度全開し、各板１２が、全体としてほぼ平面状に配列することで、各板１２を一方向に略１８０度全開すると、相隣接する板１２の側面側が互いに接触することで、各板１２が、全体としてほぼ平面状に配列されるので、簡易ベッド装置１１を簡易ベッドとして使用することができる。各板１２の表面（上面）側にクッションシート２０を配置すると、各板１２の間に身体が挟まれることもないので、より寝心地が良くなる。
【００３９】
また、２つの固定用板３４に連結された下部フレーム３０の要素３０ａ、３０ｂをそれぞれ車両に取り付けたり、あるいは、図２３に示すように、２つの固定用板３４の両側にアイボルト５６を固定し、各アイボルト５６に吊り紐５８を連結し、吊り紐５８を車両に取り付けたりする構成を採用することができる。
【００４０】
また、簡易ベッド装置１１を２組用意し、下部フレーム３０の要素３０ａ、３０ｂまたは吊り紐５８を高さの異なる位置に取り付けることで、２段ベッドを構成することもできる。
【００４１】
本実施例によれば、簡単な取り付け作業で、ほぼ水平なベッドを構成することができ、利用者の寝心地の向上に寄与することができる。
【００４２】
なお、各実施例においては、簡易ベッド装置１０または簡易ベッド装置１１の一方について述べたが、いずれも用いることができる。
【図面の簡単な説明】
【００４３】
【図１】本発明の第１実施例を示す簡易ベッド装置の平面図である。
【図２】図１に示す簡易ベッド装置の側面図である。
【図３】簡易ベッド装置を折りたたんだ状態を示す側面図である。
【図４】簡易ベッド装置の要部側面拡大図である。
【図５】蝶番の平面図である。
【図６】図５のａ−ａ線に沿う断面図である。
【図７】図５のｂ−ｂ線に沿う断面図である。
【図８】板が開いた状態を示す簡易ベッド装置の要部側面拡大図である。
【図９】板が開いて行く過程を示す簡易ベッド装置の要部側面拡大図である。
【図１０】本発明の第２実施例を示す簡易ベッド装置の平面図である。
【図１１】図１０に示す簡易ベッド装置の側面図である。
【図１２】簡易ベッド装置を折りたたんだ状態を示す側面図である。
【図１３】簡易ベッド装置の要部側面拡大図である。
【図１４】ベルトと板との関係を説明するための簡易ベッド装置の要部平面拡大図である。
【図１５】ベルトと板との関係を説明するための簡易ベッド装置の要部断面拡大図である。
【図１６】本発明の第３実施例であって、本発明を組立式ベッドに適用したときの簡易ベッド装置の平面図である。
【図１７】図１６に示す簡易ベッド装置の側面図である。
【図１８】本発明の第４実施例であって、本発明を幼児用簡易ベッドに適用したときの簡易ベッド装置の平面図である。
【図１９】図１８に示す簡易ベッド装置の側面図である。
【図２０】本発明の第５実施例であって、本発明を車両に適用したときの簡易ベッド装置の側面図である。
【図２１】本発明の第６実施例であって、本発明を車両に適用したときの簡易ベッド装置の平面図である。
【図２２】図２１に示す簡易ベッド装置の側面図である。
【図２３】本発明の第７実施例であって、本発明を車両に適用したときの簡易ベッド装置の側面図である。
【図２４】図４の変形例である。
【符号の説明】
【００４４】
１０、１１  簡易ベッド装置
１２  板
１４  蝶番
１６  補強板
２０  クッションシート
２２  ベルト
２４  ベルトガイド
３０  下部フレーム
３２  支柱
３４  固定用板
３６  ストッパ
５６  アイボルトナット
５８  吊り紐
【図１】
2007289279.tif 000003
【図２】
2007289279.tif 000004
【図３】
2007289279.tif 000005
【図４】
2007289279.tif 000006
【図５】
2007289279.tif 000007
【図６】
2007289279.tif 000008
【図７】
2007289279.tif 000009
【図８】
2007289279.tif 000010
【図９】
2007289279.tif 000011
【図１０】
2007289279.tif 000012
【図１１】
2007289279.tif 000013
【図１２】
2007289279.tif 000014
【図１３】
2007289279.tif 000015
【図１４】
2007289279.tif 000016
【図１５】
2007289279.tif 000017
【図１６】
2007289279.tif 000018
【図１７】
2007289279.tif 000019
【図１８】
2007289279.tif 000020
【図１９】
2007289279.tif 000021
【図２０】
2007289279.tif 000022
【図２１】
2007289279.tif 000023
【図２２】
2007289279.tif 000024
【図２３】
2007289279.tif 000025
【図２４】
2007289279.tif 000026